(57)【要約】      （修正有） 【課題】効率よく身体を冷却できる小型扇風機を提供する。【解決手段】小型扇風機は、前面ファンカバー１１と、後面ファンカバー５と、モータ７により回転駆動されるファン１０と、ファンからの送風を受ける位置に配設され複数の柱状の熱交換部材２３を基板２２に立設した放熱部材２１と、放熱部材の基板と接するように配設されている熱交換素子２４と、熱交換素子を被覆する冷却カバー２５とを有する。【選択図】図２
0003225839.tif 000002
【実用新案登録請求の範囲】
【請求項１】
モータにより回転駆動されるファンと、このファンからの送風を受ける位置に配設され複数の柱状の熱交換部材を基板に立設した放熱部材と、この放熱部材の前記基板と接するように配設され放熱用基板に保持されている熱交換素子と、前記熱交換素子を被覆する冷却カバーとを有することを特徴とする小型扇風機。
【請求項２】
前記熱交換素子は、ペルチェ効果を生ぜしめるペルチェ素子とされていることを特徴とする請求項１に記載の小型扇風機。
【請求項３】
前記放熱部材と冷却カバーはぞれぞれアルミニウムを主材料として形成されていることを特徴とする請求項１または請求項２に記載の小型扇風機。
【考案の詳細な説明】
【技術分野】
【０００１】
本考案は、個人用として携帯に最適な小型扇風機に係り、特に、冷却効率が顕著な小型扇風機に関する。
【背景技術】
【０００２】
地球温暖化が進んでいる今日、暑い日には携帯用の小型扇風機を携行し、この小型扇風機により個人的に涼んでいる人も増えている。
【０００３】
しかしながら、単なる小型扇風機からの送風では、温度の高い外気の風が顔などに当たるだけなので、それほど涼むことにならなかった。
【０００４】
このような点に鑑み、ペルチェ素子を用いて外気を冷却して涼風を送風するようにした扇風機が知られている（例えば、特許文献１参照）。
【先行技術文献】
【特許文献】
【０００５】
【特許文献１】特許第４１４３６９０号公報
【考案の概要】
【考案が解決しようとする課題】
【０００６】
しかしながら、前述した特許文献１に記載のペルチェ素子は、ファンカバーの放射状の骨部分を外周縁で支えるファンリブ支輪体にペルチェ素子が配設されているため、全体が大型化してしまい、携帯用として携行することができず、個人使用に適していなかった。
【０００７】
本考案は、ファンからの涼風のみならず、ペルチェ素子のような熱交換素子を用いて冷却カバーを冷却してこの冷却カバーに頬や首などの身体の一部を当接して冷却するようにした携帯用の小型扇風機を提供することを目的としている。
【課題を解決するための手段】
【０００８】
前記の課題を解決するために、本考案の小型扇風機は、モータにより回転駆動されるファンと、このファンからの送風を受ける位置に配設され複数の柱状の熱交換部材を基板に立設した放熱部材と、この放熱部材の前記基板と接するように配設され放熱用基板に保持されている熱交換素子と、前記熱交換素子を被覆する冷却カバーとを有することを特徴としている。そして、このような構成を有することにより、扇風機のファンの中心線上に放熱部材、熱交換素子および冷却カバーを配設して，小型化をはかることができる。
【０００９】
本考案の他の小型扇風機は、前記熱交換素子が、ペルチェ効果を生ぜしめるペルチェ素子とされていることを特徴としている。そして、このような構成を有することにより、ペルチェ効果により冷却カバーを良好に冷却することができる。
【００１０】
本考案のさらに他の小型扇風機は、前記放熱部材と冷却カバーがぞれぞれアルミニウムを主材料として形成されていることを特徴としている。そして、このような構成を有することにより、熱伝導率の良好なアルミニウムによりペルチェ素子の発熱側を良好に冷却することができる。
【考案の効果】
【００１１】
本考案の小型扇風機によれば、コンパクトな構成にもかかわらず携行して個人的に涼風を受けるとともに冷却カバーに身体の一部を当接して体感冷却することで快適な状態を維持することができる。
【図面の簡単な説明】
【００１２】
【図１】本考案に係る小型扇風機の実施形態を示す斜視図
【図２】図１の分解斜視図
【考案を実施するための形態】
【００１３】
図１および図２は本考案の実施形態を示すものであり、本実施形態の小型扇風機１は、角柱状の把持部２を有している。この把持部２の上部には、後述する３つのスイッチ３Ａ、３Ｂ、４が設けられている。
【００１４】
前記把持部２の上方には、通風を可能にした後面ファンカバー５が前記把持部２の上部に支持されて配設されている。この後面ファンカバー５の中心部には、円形孔６が形成されており、この円形孔６には、モータ７が装着されている。このモータ７には、回転軸８が前方に突出するように突接されており、この回転軸８には、６枚のファン１０，１０…が円周方向に連設されたファン本体９が回転可能に接続されている。
【００１５】
前記後面ファンカバー５の前方には、この後面ファンカバー５に着脱可能に装着される通風可能な前面ファンカバー１１が配設されている。この前面ファンカバー１１は，円形枠１２から中心方向に延在する周辺部１３を有しており、この周辺部１３は、円周方向に間隔を隔てた複数本の腕部材１４，１４…により構成されている。
【００１６】
各腕部材１４の内端には、それぞれ前記後面ファンカバー５から離間する前方に延在する円筒部１５を構成するように各腕部材１４にそれぞれ連設された複数本の腕部材１６，１６…が円周方向に間隔を隔てて配設されている。前記各腕部材１６の前端には、円筒部１８およびこの円筒部１８と一体形成された平板部１９からなる保持部材１７が装着されている。前記平板部１９には、正方形の開口２０が形成されており、この開口２０に臨むように放熱部材としてのアルミニウム製のヒートシンク２１が保持部材１７の内側にねじなどにより装着されている。
【００１７】
前記ヒートシンク２１は、前記平板部１９の開口２０に臨む基板２２と、この基板２２上に、整列配置（８×８）された６４本が立設されている柱状の熱交換部材２３，２３…とにより構成されている。そして、前記各熱交換部材２３は、前記ファン本体９の方に延在するようになっている。
【００１８】
前記平板部１９の開口２０内には、ペルチェ効果を生ぜしめるほぼ矩形状のペルチェ素子２４が装着されている。このペルチェ素子２４は、通電により前記ヒートシンク２１の基板２２に接触する側が加熱され、前記開口２０から外部に臨む側が冷却されるようになっている。
【００１９】
前記ペルチェ素子２４が外部に露出している前記保持部材１７の前面には、アルミニウム製とされたキャップ状の冷却カバー２５が着脱可能に装着されており、ペルチェ素子２４により冷却カバー２５を冷却するようになっている。
【００２０】
前記把持部２内には、前記モータ７と前記ペルチェ素子２４に給電する充電式バッテリ（図示せず）が収納されており、この充電式バッテリは、モバイルバッテリとして、ＵＳＢケーブルなどを利用して外部からの電力供給が行えるようになっている。また、前記スイッチ３Ａは、前記ペルチェ素子２４への給電のＯＮ−ＯＦＦを切り替えるスイッチであり、前記スイッチ３Ｂは、モータ７への給電のＯＮ−ＯＦＦを切り替えるとともに、セイフティファン１０の回転数を切り替えて風量を調整するスイッチである。さらに、前記スイッチ４は、前記モータ７と前記ペルチェ素子２４への給電を同時にＯＮ−ＯＦＦするセイフティスイッチである。
【００２１】
つぎに、前述した実施形態の作用について説明する。
【００２２】
スイッチ３Ａを押してペルチェ素子２４への給電をＯＦＦにしておき、スイッチ３Ｂを操作することにより、所望の風量によるファン１０からの風が得られ、風のみにより涼むことができる。
【００２３】
一方、スイッチ３Ａを押してペルチェ素子２４への給電をＯＮにしておき、スイッチ３Ｂを操作することによりモータ７が駆動されて所望の風量によるファン１０からの風が得られるとともに、ペルチェ素子２４に通電されて冷却カバー２５側のペルチェ素子２４の温度が低下することになる。この結果、冷却カバー２５も冷却されるので、冷却カバー２５を頬などに接触することにより体感冷却を行うことができる。
【００２４】
ペルチェ素子２４への通電により上昇したヒートシンク２１側のペルチェ素子２４は、その熱をヒートシンク２１の基板２２から熱交換部材２３を介して放熱する。このとき、ファン１０の回転による風により熱交換部材２３を介しての放熱効率を高めることができる。
【００２５】
以上説明したように、ペルチェ素子２４への通電を行うことにより、風のみでなく冷却カバー２５に身体の一部を接触させて体感冷却することができるので、身体を効率よく冷却することができる。また、ペルチェ素子２４の高温側は、ヒートシンク２１を介して放熱できるし、さらに、ファン１０の回転による風によっても放熱される。
【００２６】
したがって、ペルチェ素子２４を冷却するのみの他のファンを設ける必要がなく、コンパクトな構成にもかかわらず、ファン１０の回転による風をヒートシンク２１の各熱交換部材２３に当てて効率よく冷却することができる。
【００２７】
なお、本考案は、前述した実施形態に限定されるものではなく、種々の変更が可能である。
【符号の説明】
【００２８】
１  小型扇風機
２  把持部
３Ａ，３Ｂ  スイッチ
４  スイッチ
５  後面ファンカバー
６  円形孔
７  モータ
８  回転軸
９  ファン本体
１０  ファン
１１  前面ファンカバー
１２  円形枠
１３  周辺部
１４  腕部材
１５  円筒部
１６  腕部材
１７  保持部材
１８  円筒部
１９  平板部
２０  開口
２１  ヒートシンク  
２２  基板
２３  熱交換部材
２４  ペルチェ素子
２５  冷却カバー
【図１】
0003225839.tif 000003
【図２】
0003225839.tif 000004